(57)【特許請求の範囲】
【請求項１】
電子回路を収容する本体部と、
前記本体部に設けられ、所定方向に振動し、振動の周波数が可変である振動部と、
前記本体部のうちそれぞれ異なる部分に設けられ、それぞれが異なる周波数の振動に対して共振する複数の共振子と、
前記振動部の振動を複数の前記共振子に伝達する伝達部と
を備える電子機器。
【請求項２】
前記振動部を介して前記本体部に接続され、前記振動部の振動によって前記本体部に対して相対的に振動する可動部
を更に備える請求項１に記載の電子機器。
【請求項３】
前記本体部は、平面視において角部を有する形状に形成され、
複数の前記共振子は、前記本体部のうち前記角部に設けられている
請求項１又は請求項２に記載の電子機器。
【請求項４】
前記本体部は、平面視において矩形に形成され、
複数の前記共振子は、前記本体部のうち４つの角部に１つずつ設けられている
請求項１から請求項３のうちいずれか一項に記載の電子機器。
【請求項５】
前記振動部は、平面視において前記本体部の重心位置に配置されている
請求項１から請求項４のうちいずれか一項に記載の電子機器。
【請求項６】
前記伝達部は、平面視において十字型に形成されており、
複数の前記共振子は、前記伝達部のうち４つの端部にそれぞれ接続されている
請求項１から請求項５のうちいずれか一項に記載の電子機器。
【請求項７】
前記振動部は、平面視において前記伝達部の中央部に接続されており、
複数の前記共振子は、前記振動部からの距離が等しくなる位置に配置されている
請求項６に記載の電子機器。
【発明の詳細な説明】
【技術分野】
【０００１】
本発明は、電子機器に関する。
本願は、２０１２年３月５日に出願された特願２０１２−４８２７５号に基づき優先権を主張し、その内容をここに援用する。
【背景技術】
【０００２】
携帯電話や携帯情報端末などの電子機器として、例えば特許文献１が知られている。特許文献１に示すような電子機器においては、ユーザに振動を検知させる構成が用いられる場合がある。
このような振動を発生させる振動発生装置として、例えば振動モーターが知られている。振動モーターとしては、例えば円筒型の回転子の先端に錘をつけ、モーターの回転により振動を発生させている構成が知られている。
【先行技術文献】
【特許文献】
【０００３】
【特許文献１】特開２０１０−８６０８９号公報
【発明の概要】
【発明が解決しようとする課題】
【０００４】
しかしながら、従来の振動モーターでは、幅広い振動状態を再現することが困難であった。【０００５】
本発明の態様は、幅広い振動状態を再現することが可能な電子機器を提供することを目的とする。
【課題を解決するための手段】
【０００６】
本発明の第一の態様に従えば、電子回路を収容する本体部と、前記本体部に設けられ、所定方向に振動し、振動の周波数が可変である振動部と、前記本体部のうちそれぞれ異なる部分に設けられ、それぞれが異なる周波数の振動に対して共振する複数の共振子と、前記振動部の振動を複数の前記共振子に伝達する伝達部とを備える。
【発明の効果】
【０００７】
本発明の態様によれば、幅広い振動状態を再現することが可能な電子機器を提供することができる。
【図面の簡単な説明】
【０００８】
【図１】本発明の実施の形態に係る電子機器の構成を示す斜視図。
【図２】図１におけるＡ−Ａ断面に沿った構成を示す図。
【図３】本実施形態に係る電子機器の一部の構成を示す平面図。
【図４】本実施形態に係る共振子の構成を示す斜視図。
【図５】本実施形態に係る電子機器の動作の様子を示す図。
【発明を実施するための形態】
【０００９】
以下、図面を参照して、本発明の実施の形態を説明する。  
図１は、本発明の実施の形態に係る電子機器１００の構成を示す斜視図である。  
図１に示すように、電子機器１００は、矩形の板状に形成された本体部１０１と、本体部１０１に振動部１６を介して接続された可動部１０２とを有する。また、本体部１０１には、複数の共振子１０３と、伝達部１０４とが設けられている。
【００１０】
図２は、図１におけるＡ−Ａ断面に沿った構成を示す図である。  
図２に示すように、本体部１０１は、表示パネル１０、第一ベース部１１、第二ベース部１２、バッテリー１３、第一基板１４、ボトムカバー１５及び振動部１６を有している。本体部１０１は、これらの各構成要素が積層された状態で組み立てられている。
【００１１】
以下、本実施形態において、電子機器１００の構成を説明するに当たり、ＸＹＺ直交座標系を用いる。ＸＹＺ直交座標系において、本体部１０１の各構成要素の積層方向をＺ方向とする。また、Ｚ方向に直交する平面をＸＹ平面とし、ＸＹ平面において直交する方向をそれぞれＸ方向及びＹ方向とする。
【００１２】
表示パネル１０は、Ｚ方向視で矩形に形成されている。表示パネル１０は、−Ｚ側の面が表示面１０ａとなっている。表示面１０ａには、静止画や動画などの画像が表示される。表示パネル１０としては、例えば液晶表示パネルや、有機ＥＬパネルなどが用いられる。表示パネル１０の表示面１０ａ上に、不図示のタッチパネル機構を設ける構成としても構わない。
【００１３】
第一ベース部１１は、表示パネル１０を保持する。第一ベース部１１は、Ｚ方向視で矩形の枠状に形成されている。第一ベース部１１は、表示パネル１０の側部及び表示面１０ａの周縁部を囲うように形成されている。第二ベース部１２は、第一ベース部１１の＋Ｚ側に配置されている。第二ベース部１２の一部は、第一ベース部１１に支持されている。
【００１４】
バッテリー１３は、外形が矩形の板状に形成されている。バッテリー１３は、電子機器１００の各部に電力を供給する。バッテリー１３は、不図示の配線を介して電子機器１００の各部に接続されている。バッテリー１３の＋Ｚ側の面１３ａは、平坦に形成されている。
【００１５】
第一基板１４は、バッテリー１３が配置されるスペースを空けるように配置されている。第一基板１４は、第二ベース部１２に支持されている。第一基板１４には、制御回路１４ａが形成されている。電子機器１００は、制御回路１４ａによって各部が電気的に制御される構成となっている。
【００１６】
ボトムカバー１５は、矩形板状に形成されている。ボトムカバー１５は、バッテリー１３及び第一基板１４の＋Ｚ側に配置され、バッテリー１３及び第一基板１４を被うように配置されている。ボトムカバー１５の中央部には、円形の開口部１５ａが形成されている。開口部１５ａには、バッテリー１３の＋Ｚ側の面１３ａが一部露出している。
【００１７】
振動部１６は、固定子１６ａ、移動子１６ｂ及び駆動源１６ｃを有する。固定子１６ａは、円筒状に形成されており、移動子１６ｂ及び駆動源１６ｃを収容する。固定子１６ａは、ボトムカバー１５の開口部１５ａ内に配置されている。
【００１８】
移動子１６ｂは、Ｚ方向に移動可能に設けられている。駆動源１６ｃは、移動子１６ｂに接続されており、移動子１６ｂをＺ方向に移動させる。駆動源１６ｃとしては、ボイスコイルモーターが用いられている。
駆動源１６ｃの動作は、上記の第一基板１４に設けられた制御回路１４ａによって行われる。振動部１６は、駆動源１６ｃが移動子１６ｂをＺ方向に往復移動させることにより、移動子１６ｂがＺ方向に振動する構成である。
なお、制御回路１４ａは、移動子１６ｂの往復の周波数を随時調整することができる。移動子１６ｂの往復の周波数を調整することにより、振動部１６において発生する振動の周波数を所望の値に設定することができる。例えば、振動部１６において、９０Ｈｚ〜１２０Ｈｚの間で振動の周波数を設定可能である。
【００１９】
可動部１０２は、筐体２６を有している。筐体２６は、本体部１０１の＋Ｚ側の面の一部を覆うように形成されている。筐体２６は、振動部１６の移動子１６ｂに接続されている。したがって、筐体２６は、移動子１６ｂと一体的にＺ方向に移動可能に設けられている。
移動子１６ｂがＺ方向に振動することにより、移動子１６ｂの振動が筐体２６に伝達され、筐体２６がＺ方向に振動する。
【００２０】
複数の共振子１０３は、ボトムカバー１５の＋Ｚ側の面１５ｂ上に配置されている。複数の共振子１０３は、各々設定された所定の周波数の振動に対して共振するように構成されている。複数の共振子１０３は、Ｚ方向においてボトムカバー１５と伝達部１０４との間に挟まれている。伝達部１０４は、振動部１６の振動を複数の共振子１０３に伝達する。
【００２１】
図３は、電子機器１００を＋Ｚ側から見たときの構成を示す平面図である。但し、図３において、複数の共振子１０３及び伝達部１０４を判別しやすくするため、筐体２６の図示を省略している。
図３に示すように、各共振子１０３は、平面視において本体部１０１の４つの角部に１つずつ配置されている。振動部１６は、平面視において本体部１０１の重心位置、すなわち本体部１０１の中心部に配置されている。
【００２２】
伝達部１０４は、平面視において十字型に形成されている。複数の共振子１０３は、伝達部１０４のうち４つの端部１０４ａ〜１０４ｄにそれぞれ接続されている（共振子１０３ａ〜共振子１０３ｄ）。共振子１０３ａ〜共振子１０３ｄは、それぞれ振動部１６からの距離が等しくなるように配置されている。
【００２３】
なお、共振子１０３ａ〜共振子１０３ｄは、それぞれ共振する周波数が異なるように設定されている。共振子１０３ａ〜共振子１０３ｄは、互いに異なる共振周波数を有する。
例えば、共振子１０３ａの共振周波数は９０Ｈｚに設定されており、共振子１０３ｂの共振周波数は１００Ｈｚに設定されており、共振子１０３ｃの共振周波数は１１０Ｈｚに設定されており、共振子１０３ｄの共振周波数は１２０Ｈｚに設定されている。
【００２４】
図４は、１個の共振子１０３の構成を示す斜視図である。  
図４に示すように、共振子１０３（１０３ａ〜１０３ｄ）は、容器３１、第一バネ部材３２、錘３３及び第二バネ部材３４を有している。共振子１０３ａ〜共振子１０３ｄのそれぞれにおいて、共振周波数が上記周波数となるように第一バネ部材３２及び第二バネ部材３４のバネ定数や錘３３の質量が設定されている。
【００２５】
この構成において、例えば移動子１６ｂが図２に示す状態から＋Ｚ方向に移動する場合には、図５に示すように、筐体２６は移動子１６ｂの移動に伴って＋Ｚ方向へ移動する。
したがって、本体部１０１と可動部１０２との間が広がることになり、本体部１０１と可動部１０２との間で相対的な移動が行われたことになる。
【００２６】
また、図５に示す状態から移動子１６ｂが−Ｚ方向に移動し、図２に示す状態に戻ると、筐体２６は移動子１６ｂの移動に伴って−Ｚ方向へ移動する。この場合にも、本体部１０１と可動部１０２との間で相対的な移動が行われたことになる。このように、移動子１６ｂの移動（振動）によって可動部１０２が本体部１０１に対して振動する。
【００２７】
移動子１６ｂが移動する場合、この移動により振動部１６において発生する振動は、固定子１６ａ及び伝達部１０４を介して、各共振子１０３ａ〜１０３ｄに伝達される。
ここで、振動部１６の振動の周波数が９０Ｈｚである場合、共振周波数が９０Ｈｚである共振子１０３ａが共振する。なお、このとき他の共振子１０３ｂ〜１０３ｄは共振しない。このため、本体部１０１の４つの角部のうち共振子１０３ａが配置された角部において局所的に振動が発生する。
【００２８】
また、振動部１６の振動の周波数が１００Ｈｚである場合、共振周波数が１００Ｈｚである共振子１０３ｂが共振する。なお、他の共振子１０３ａ、１０３ｃ、１０３ｄは共振しない。このため、本体部１０１の４つの角部のうち共振子１０３ｂが配置された角部において局所的に振動が発生する。
【００２９】
同様に、振動部１６の振動の周波数が１１０Ｈｚである場合、共振周波数が１１０Ｈｚである共振子１０３ｃが共振する。なお、他の共振子１０３ａ、１０３ｂ、１０３ｄは共振しない。このため、本体部１０１の４つの角部のうち共振子１０３ｃが配置された角部において局所的に振動が発生する。
【００３０】
同様に、振動部１６の振動の周波数が１２０Ｈｚである場合、共振周波数が１２０Ｈｚである共振子１０３ｄが共振する。なお、他の共振子１０３ａ〜１０３ｃは共振しない。このため、本体部１０１の４つの角部のうち共振子１０３ｄが配置された角部において局所的に振動が発生する。
【００３１】
更には、振動部１６の振動の周波数を、例えば９０Ｈｚ、１００Ｈｚ、１１０Ｈｚ、１２０Ｈｚと周期的に変化させることにより、本体部１０１のうち局所的に振動が発生する部分を反時計回りに移動させることができる。周波数の大きさと順序を適宜組み合わせることで、局所的に振動を発生させる部分を所望の位置に移動させることができる。
【００３２】
以上のように、本実施形態によれば、制御回路１４ａを収容する本体部１０１と、本体部１０１に設けられ所定方向に振動し振動の周波数が可変である振動部１６と、本体部１０１のうちそれぞれ異なる部分に設けられ、それぞれが異なる周波数の振動に対して共振する複数の共振子１０３と、振動部１６の振動を複数の共振子１０３に伝達する伝達部１０４とを備える。
これにより、振動部１６において発生させる振動を、各共振子１０３の共振周波数に対応させることで、各共振子１０３を個別に共振させることができ、本体部１０１において局所的に振動を発生させることができる。これにより、幅広い振動状態を再現することが可能となる。
【００３３】
本発明の技術範囲は上記実施形態に限定されるものではなく、本発明の趣旨を逸脱しない範囲で適宜変更を加えることができる。  
例えば、上記実施形態においては、振動部１６が平面視において伝達部１０４の中央部に接続された構成を例に挙げて説明したが、これに限られることは無い。例えば振動部１６が伝達部１０４のうち中央部から外れた位置に接続されていても構わない。これにより、一層多様な振動状態を再現することができる。
【００３４】
また、上記実施形態では、振動部１６からの距離が等しくなる位置に複数の共振子１０３が配置された構成を例に挙げて説明したが、これに限られることは無い。例えば、共振子１０３ごとに振動部１６からの距離が異なるように配置されていても構わない。また、一部の共振子１０３について振動部１６からの距離が等しくなるように配置されていても構わない。
【００３５】
また、上記実施形態においては、伝達部１０４が平面視で十字型に形成された構成を例に挙げて説明したが、これに限られることは無い。例えば伝達部１０４が平面視において円形や三角形、四角形などの多角形、又は他の平面形状を有する構成であっても構わない。
【００３６】
また、上記実施形態においては、本体部１０１が平面視で矩形に形成された構成を例に挙げて説明したが、これに限られることは無い。例えば本体部１０１が平面視において円形に形成された構成や三角形、十字型など他の平面形状を有する構成であっても構わない。
【００３７】
また、上記実施形態においては、複数の共振子１０３ａ〜１０３ｄが本体部１０１の４つの角部に１つずつ配置された構成を例に挙げて説明したが、これに限られることは無く、例えば４つの角部に複数個ずつ配置された構成であっても構わない。また、本体部１０１の角部に限られず、他の部位に共振子１０３が設けられていても構わない。
【００３８】
また、電子機器１００において、可動部１０２が設けられていない構成であっても、本発明の適用は可能である。
【符号の説明】
【００３９】
１６…振動部  １６ａ…固定子  １６ｂ…移動子  １６ｃ…駆動源  ２６…筐体  ３１…容器  ３２…第一バネ部材  ３３…錘  ３４…第二バネ部材  １００…電子機器  １０１…本体部  １０２…可動部  １０３…共振子  １０３ａ〜１０３ｄ…共振子  １０４…伝達部  １０４ａ〜１０４ｄ…端部。
【図１】
0005954405.tif 000002
【図２】
0005954405.tif 000003
【図３】
0005954405.tif 000004
【図４】
0005954405.tif 000005
【図５】
0005954405.tif 000006